(57)【要約】背景技術による圧力センサモジュールは、高価な形式で、蓋によって気密にシールされている。本発明による圧力センサモジュール（１）は、センサケーシング（８）内に、圧力センサ（６）を有している。該圧力センサは、簡単に組付けられ、すでに校正されている。
2004513339.tif 000002
【特許請求の範囲】
【請求項１】
圧力センサモジュールであって、少なくともモジュールケーシングと圧力センサとによって構成されており、該圧力センサは、前記モジュールケーシングとは別個に形成されたセンサケーシング内に配置され、被覆材によって保護されている形式のものにおいて、
センサケーシング（８）が、少なくとも部分的に、モジュールケーシング（３）に当接していることを特徴とする、圧力センサモジュール。
【請求項２】
圧力センサ（６）のための電気接続部材（２１）が、部分的にセンサケーシング（８）によって包囲されている、請求項１記載の圧力センサモジュール。
【請求項３】
電気接続部材（２１）が、外部の電気的な差込接続部（２５）と電気的に接続されている、請求項２記載の圧力センサモジュール。
【請求項４】
センサケーシング（８）がプラスチックから成っている、請求項１または２記載の圧力センサモジュール。
【請求項５】
被覆材（１２）がゲルである、請求項１記載の圧力センサモジュール。
【請求項６】
センサケーシング（８）が、モジュールケーシング（３）内で、プラスチック射出成形部によって埋め込まれ、保持されている、請求項１記載の圧力センサモジュール。
【請求項７】
センサケーシング（８）が、モジュールケーシング（３）内で、鋳込み材料（１７）によって包囲され、保持されている、請求項１記載の圧力センサモジュール。
【請求項８】
センサケージング（８）が、モジュールケーシング（３）の凹部（１５）内に配置されている、請求項１，６または７のうちの１つか２つ記載の圧力センサモジュール。
【請求項９】
圧力センサモジュール（１）が、少なくとも１つの、電磁的な互換性を改善するためのエレメント（２７）を有する、請求項１記載の圧力センサモジュール。
【請求項１０】
前記エレメント（２７）が、鋳込み材料（１７）によって保護されている、請求項９記載の圧力センサモジュール。
【請求項１１】
電磁的な互換性を改善するためのエレメント（２７）が、コンデンサである、請求項９または１０記載の圧力センサモジュール。
【請求項１２】
電磁的な互換性を改善するためのエレメント（２７）が、導電性接着材、はんだ付け、または溶接によって、電線（２１，２５）に電気的かつ機械的に接続されている、請求項９，１０，または１１記載の圧力センサモジュール。
【請求項１３】
圧力センサ（６）が、モジュールケーシング（３）の凹部（１５）内に配置されており、少なくとも１つの、電磁的な互換性を改善するためのエレメント（２７）が、凹部（１５）とは別個に形成されたくぼみ（３５）内に配置されている、請求項９，１０，１１，または１２記載の圧力センサモジュール。
【請求項１４】
圧力センサ（６）が、モジュールケーシング（３）の凹部（１５）に配置されており、前記エレメント（２７）が凹部（１５）内に配置されている、請求項９，１０，１１，または１２記載の圧力センサモジュール。
【請求項１５】
圧力センサモジュール（１）が、温度センサ（４０）を有している、請求項１または９記載の圧力センサモジュール。
【発明の詳細な説明】
【０００１】
背景技術
本発明は、請求項１の上位概念部に記載した形式の、圧力センサモジュールに関する。
【０００２】
圧力センサを有する半導体チップを備えた圧力センサ装置は、国際公開第９８／００６９２号パンフレットにより公知である。この装置は、プリント回路板に組付けるために設けられている。
【０００３】
半導体チップの電気接続部材は、ケーシングのプラスチック内で、気密に射出成形されているわけではない。圧力センサの領域が、外部に対して低圧である場合、空気は電気接続部材に沿って、ゲル内に吸引され、ボンディングワイヤ、もしくはボンディング接続に機械的負荷を及ぼす。しかも、仕切ダイヤフラムは、その看過できない硬直により、半導体の圧力特性曲線を変化させる。したがって、高い測定精度が要求される場合は、ダイヤフラムの直径を大きくすると同時に、ダイヤフラムの厚さを薄くする必要がある。このことは小型化の妨げとなる。「エムエスティニュース２／９９（ｍｓｔｎｅｗｓ２／９９）」のページ８〜９により、単独部品として圧力センサモジュールケーシング内に組付けられ、そこに固定されている圧力センサチップは、公知である。圧力センサチップの取り付け、ならびに被覆材を使っての不動態化は、校正曲線に影響を及ぼすため、圧力センサの校正は、圧力センサチップの組付け後に初めて、可能である。校正に際して、固定された圧力センサを有するモジュールケーシング全体もまた、校正を実施するために、様々な温度や圧力下に置かれなければならない。このような校正は、大きいセンサケーシングを加熱するために必要な長い待機時間や、調整の際の低いパッケージ密度のために、非常に高価である。
【０００４】
その他に公知の圧力センサの場合、センサチップの組付け後の校正時に初めて、不良品が発見される。この場合、高価な圧力センサモジュールは、もはや使い物にならない。これによって、廃棄コストが高くなる。
【０００５】
ドイツ連邦共和国特許出願公開第１９７３１４２０号明細書により、圧力センサが蓋によって気密にシールされている圧力センサモジュールは、公知である。このような形式の組み付けは、セラミック基板の使用と同様に、コストがかかる。また、ゲルを包囲する枠は、別にセラミック基板に固定されなければならない。
【０００６】
発明の利点
これに対して、請求項１記載の特徴を有する、本発明による圧力センサモジュールは、簡単な形式で、圧力センサをモジュールケーシング内に組付けて、１つの圧力センサモジュールを製造することができる、という利点を有している。従属請求項に記載した手段により、請求項１記載の圧力センサモジュールの有利な変化実施例及び改善が可能である。
【０００７】
有利には、センサケーシングはプラスチックから成っている。何故ならばプラスチックは製造が容易だからである。
【０００８】
有利には、電気接続部材が、少なくとも部分的にセンサケーシングによって包囲されており、それによって該電気接続部材は保持され、またセンサケーシングを通って、電気接続部材を貫通させることができる。
【０００９】
有利には、センサケーシング内の圧力センサを、外部の影響から保護し、気密にカプセル状にシールするために、センサケーシングは鋳込み材料によって包囲されている。鋳込み材料によって、さらには接続部材を気密に貫通させることができる。
【００１０】
圧力センサが、電磁的な互換性を改善するためのエレメントを有していれば、有利である。
【００１１】
電磁的な互換性を改善するためのエレメントとしてのコンデンサが、有利には、導電性接着材、はんだ付け、あるいは溶接によって、電気接続部材に電気的、機械的に接続されている。
【００１２】
圧力センサチップの蓋として、有利には、例えばフロロ・シリコーン・ゲル（Ｆｌｕｏｒ−Ｓｉｌｉｋｏｎ−Ｇｅｌ）のような媒体に対する耐性を有するゲルが使用されるので、その他の保護手段が必要ない。
【００１３】
図面
本発明の実施例は、図面に概略的に示されており、以下に詳しく説明されている。
【００１４】
図１は、本発明によって形成された圧力センサモジュールの第１実施例を示している。図２は、本発明によって形成された圧力センサモジュールの第２実施例を示している。図３は、本発明によって形成された圧力センサモジュールの第３実施例を示している。
【００１５】
実施例の説明
図１は本発明による圧力センサモジュール１の第１実施例を示している。
【００１６】
圧力センサモジュール１は、特にモジュールケーシング３によって構成されており、該モジュールケーシング３内のセンサケーシング８に、例えばセンサチップの形状の圧力センサ６が、配置されている。その際、圧力センサ６は、測定されるべき媒体１０と接触を有しており、該媒体１０は、例えばスリーブ３３を介して、圧力センサ６に達している。センサケーシング８は、例えばＵ字形をしており、Ｕ字形の開いている部分は、測定されるべき媒体１０と接触していて、スリーブ３３の開口１１を完全に包囲している。圧力センサ６は、そのセンサケーシング８内で、被覆材、例えばゲルによって覆われていて、それによって保護されている。センサケーシング８は、例えばモジュールケーシング３の凹部１５に配置されていて、例えば鋳込み材料１７によって完全に包み込まれている。鋳込み材料１７が、センサケージング８とモジュールケーシング３を、シールしているので、測定されるべき媒体１０が凹部１５内に達することはない。しかも硬化すべき鋳込み材料１７は、センサケーシング８を凹部１５内に保持するとともに、センサケーシング８を通って延在する電気接続部２１をもシールしている。凹部１５を気密にカプセル状に包囲し、また外部の影響から保護する蓋は、ここでは省くことができる。圧力センサ６は、ボンディングワイヤ１９によって、電気接続部材２１に接続されており、該電気接続部２１は、外部の電気的な差込接続部２５との接続を形成している。該差込接続部２５は、電子制御装置に接続する役割を果たしている。電気接続部材２１と差込接続部２５との接続箇所２３は、溶接または、はんだ付けによって製作され、同様に凹部１５内で鋳込み材料内に位置している。さらに圧力センサモジュール１は、凹部１５内に、例えば少なくとも１つの、電磁的な互換性（ｅｌｅｃｔｒｏｍａｇｎｅｔｉｃ　ｃｏｍｐａｔｉｂｉｌｉｔｙ）を改善するためのエレメント２７を、例えばコンデンサの形で、有している。コンデンサ２７は、例えば導電性接着材、はんだ付け、または溶接によって、電気接続部材２１あるいは差込接続部２５上に、電気的かつ機械的に取り付けられている。コンデンサ２７は、例えば、接続箇所２３上に直接配置されている。
【００１７】
図２は、本発明による圧力センサモジュールの別の実施例を示している。
【００１８】
この実施例では、モジュールケーシング３は、凹部１５の隣に、くぼみ３５を有しており、該くぼみ３５を通って、差込接続部２５または電気接続部材２１が延在している。コンデンサ２７は、くぼみ３５内で差込接続部２５に電気的に接続しており、また鋳込み材料１７によって包囲され、保護されている。接続箇所２３は、同様にくぼみ３５内にも配置される。図１と比較すると、コンデンサ２７は、差込接続部２５と電気接続部材２１との、溶接された接続箇所２３から、空間的に離れているために、コンデンサ２７もまた、はんだ付けまたは接着によって、電気接続部材２１あるいは差込接続部２５に、電気的に接続されている。
【００１９】
モジュールケーシング３は、例えば、その他にシールリング２９を備えたスリーブ３３を有しているので、該スリーブ３３を、測定されるべき媒体１０を有する他の構成部材内に挿入することができる。この場合、スリーブ３３は、シールリング２９によって、前記構成部材に対してシールされるので、該構成部材内の測定されるべき媒体１０は、圧力センサ６とだけ接触し、スリーブ３３の組み付け箇所で、該構成部材から漏れ出すことはない。
【００２０】
圧力センサモジュール１は、さらに温度センサ４０，例えばＮＴＣ抵抗を備えている。
【００２１】
図３は、図２に示した、本発明による圧力センサモジュール１の別の実施例を示している。溶接された接続箇所２３は、くぼみ３５内にあるので、エレメント２７は圧力センサ６に可能な限り近く、つまり凹部１５内に配置されている。
【図面の簡単な説明】
【図１】
本発明によって形成された圧力センサモジュールの第１実施例である。
【図２】
本発明によって形成された圧力センサモジュールの第２実施例である。
【図３】
本発明によって形成された圧力センサモジュールの第３実施例である。
【国際公開パンフレット】
2004513339.tif 000003
2004513339.tif 000004
2004513339.tif 000005
2004513339.tif 000006
2004513339.tif 000007
2004513339.tif 000008
2004513339.tif 000009
2004513339.tif 000010
2004513339.tif 000011
2004513339.tif 000012
2004513339.tif 000013
2004513339.tif 000014
2004513339.tif 000015
2004513339.tif 000016
【国際調査報告】
2004513339.tif 000017
2004513339.tif 000018
2004513339.tif 000019
2004513339.tif 000020
2004513339.tif 000021
2004513339.tif 000022